(57)【要約】【課題】使用者の手を効果的に乾燥することができるハンドドライヤを提供する。【解決手段】本発明のハンドドライヤ１０は、空気冷凍サイクル１１で乾燥した空気を、使用者の手２９に吹き付けている。ここで、空気冷凍サイクル１１は、環境空気１２を圧縮する圧縮手段１３と、圧縮空気１４を冷却する冷却手段１５と、冷却空気１６を膨張させる膨張手段１７とを有する。更に、ハンドドライヤ１０は、膨張空気１８から水分を除去する気液分離手段１９と、乾燥空気２０を昇温する昇温手段２１と、を有する。【選択図】図１
2020058610.tif 000002
【特許請求の範囲】
【請求項１】
空気冷凍サイクルにより水分が除去された空調空気を、使用者の手に吹き付けることを特徴とするハンドドライヤ。
【請求項２】
前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、
更に、前記空気冷凍サイクルの後段に、前記膨張空気から水分を除去することで乾燥空気を生成する気液分離手段と、を具備することを特徴とする請求項１に記載のハンドドライヤ。
【請求項３】
更に、前記気液分離手段の後段に、前記乾燥空気を昇温することで昇温空気を生成する昇温手段と、を具備することを特徴とする請求項２に記載のハンドドライヤ。
【請求項４】
前記冷却手段と前記昇温手段とで熱交換を行うことを特徴とする請求項３に記載のハンドドライヤ。
【請求項５】
前記昇温空気を貯留する空気貯留部と、を更に具備し、
前記空気貯留部に貯留された前記昇温空気を、前記使用者の前記手に吹き付けることを特徴とする請求項４に記載のハンドドライヤ。
【請求項６】
前記空気貯留部には、大気圧より圧力が高い状態の前記昇温空気が導入されることを特徴とする請求項５に記載のハンドドライヤ。
【発明の詳細な説明】
【技術分野】
【０００１】
本発明はハンドドライヤに関し、特に、空気冷凍サイクルで乾燥した空気を使用者の手に吹き付けるハンドドライヤに関する。
【背景技術】
【０００２】
一般に、ハンドドライヤは、飲食店や公衆トイレ等に設置され、手に風を吹き付けることで、手を乾燥させる装置である。ハンドドライヤは、空気を圧縮するコンプレッサと、使用者の手が装置に挿入されたことを検出するセンサと、コンプレッサを制御する制御手段を有している。使用者がハンドドライヤに手を挿入すると、制御手段は、手が挿入されたことを示すセンサの出力に基づいて、コンプレッサにより圧縮された空気を手に吹き付ける。これにより、手に付着した水分は吹き飛ばされる。
【０００３】
また、特許文献１に記載されているように、乾燥させた空気を手に吹き付けるハンドドライヤも開発されている。ここでは、ハンドドライヤが、空気を圧縮して蓄溜する手段と、この圧縮空気を加熱する手段と、上記加熱された圧縮空気を拡散させながら噴出させるノズルとから構成されている。また、上記圧縮・蓄溜された空気を冷却してドレーンを除去し、加熱している。係る構成とすることで、手を乾燥させる能力を高めている。
【先行技術文献】
【特許文献】
【０００４】
【特許文献１】特開２００１−３１４３４７号公報
【発明の概要】
【発明が解決しようとする課題】
【０００５】
しかしながら、一般的なハンドドライヤでは、外部から導入した環境空気をそのまま手に吹き付けるだけであったため、ハンドドライヤから供給される空気が湿った状態であると、手の表面に付着した水分を充分に除去することは困難で有った。また、手から離れた水分が、ハンドドライヤの下部に大量に溜まってしまい、その貯留水の回収に手間が掛かってしまう課題もあった。
【０００６】
更に、特許文献１に記載されたハンドドライヤでは、乾燥させた空気を吹き付けることで手に付着した水分を除去しているが、空気の冷却および加熱に大きなエネルギが要することから、ハンドドライヤの運転に要する費用が大きくなる課題があった。
【０００７】
本発明は、上記の事情に鑑みてなされたものであり、その目的とするところは、使用者の手を効果的に乾燥することができるハンドドライヤを提供することにある。
【課題を解決するための手段】
【０００８】
本発明のハンドドライヤは、空気冷凍サイクルにより水分が除去された空調空気を、使用者の手に吹き付けることを特徴とする。
【０００９】
また、本発明のハンドドライヤでは、前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、更に、前記空気冷凍サイクルの後段に、前記膨張空気から水分を除去することで乾燥空気を生成する気液分離手段と、を具備することを特徴とする。
【００１０】
また、本発明のハンドドライヤでは、前記冷却手段と前記昇温手段とで熱交換を行うことを特徴とする。
【００１１】
また、本発明のハンドドライヤでは、前記昇温空気を貯留する空気貯留部と、を更に具備し、前記空気貯留部に貯留された前記昇温空気を、前記使用者の前記手に吹き付けることを特徴とする。
【００１２】
また、本発明のハンドドライヤでは、前記空気貯留部には、大気圧より圧力が高い状態の前記昇温空気が導入されることを特徴とする。
【発明の効果】
【００１３】
本発明のハンドドライヤは、空気冷凍サイクルにより水分が除去された空調空気を、使用者の手に吹き付けることを特徴とする。これにより、本発明のハンドドライヤは、水分が除去された後の乾燥状態の空調空気を使用者の手に吹き付け、効果的に且つ短時間に手を乾燥することかできる。
【００１４】
また、本発明のハンドドライヤでは、前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、更に、前記空気冷凍サイクルの後段に、前記膨張空気から水分を除去することで乾燥空気を生成する気液分離手段と、を具備することを特徴とする。これにより、本発明のハンドドライヤは、圧縮手段、冷却手段、膨張手段および気液分離手段により、乾燥された状態の乾燥空気を使用者の手に吹き付け、手を更に効果的に乾燥することができる。
【００１５】
また、本発明のハンドドライヤでは、前記冷却手段と前記昇温手段とで熱交換を行うことを特徴とする。これにより、本発明のハンドドライヤは、冷却手段と昇温手段とが熱交換することで、圧縮空気を効果的に冷却することができ、更に膨張空気を効果的に昇温することができる。
【００１６】
また、本発明のハンドドライヤでは、前記昇温空気を貯留する空気貯留部と、を更に具備し、前記空気貯留部に貯留された前記昇温空気を、前記使用者の前記手に吹き付けることを特徴とする。これにより、本発明のハンドドライヤは、空気貯留部に貯留された昇温空気を、使用者の手に吹き付けることから、使用者の手に即座に昇温空気を吹き付けることができる。
【００１７】
また、本発明のハンドドライヤでは、前記空気貯留部には、大気圧より圧力が高い状態の前記昇温空気が導入されることを特徴とする。これにより、本発明のハンドドライヤは、簡易的に空気貯留部に高圧の空気を貯留することができる。
【図面の簡単な説明】
【００１８】
【図１】本発明の実施形態に係るハンドドライヤの構成を示すブロック図である。
【図２】本発明の実施形態に係るハンドドライヤを用いて手を乾燥する方法を示すフローチャートである。
【図３】本発明の実施形態に係るハンドドライヤに含まれる空気冷凍サイクルにおける空気の温度と圧力との関係を示すグラフである。
【発明を実施するための形態】
【００１９】
以下、図を参照して本実施形態に係るハンドドライヤ１０を説明する。以下の説明では、同一の部材には原則的に同一の符号を付し、繰り返しの説明は省略する。
【００２０】
図１は、本発明のハンドドライヤ１０の概略的構成を示すブロック図である。ここでは、動力が伝達される径路を太い実線で示し、空気が流通する径路を点線で示し、電気信号が伝達される径路を細い実線で示している。
【００２１】
この図を参照して、ハンドドライヤ１０は、空気の流れの上流側から、圧縮手段１３、冷却手段１５、膨張手段１７、気液分離手段１９、昇温手段２１、空気貯留部２３、バルブ２４、噴出部２７、センサ２８、演算制御手段２５を備えている。ここで、圧縮手段１３、冷却手段１５および膨張手段１７は、空気冷凍サイクル１１を形成している。ハンドドライヤ１０は、概略的には、空気冷凍サイクル１１で空調された空調空気を、使用者の手２９に吹き付けることで、手２９を効果的に乾燥させる装置である。
【００２２】
圧縮手段１３は、ハンドドライヤ１０の外部から導入した環境空気１２を圧縮することで、圧縮空気１４を生成する。圧縮手段１３は、モータ２６により駆動される。圧縮手段１３は、圧縮機やポンプとも称される。
【００２３】
冷却手段１５には、圧縮空気１４が導入され、圧縮空気１４と外部雰囲気とを熱交換することで圧縮空気１４を冷却し、冷却空気１６を生成する。
【００２４】
膨張手段１７は、導入された冷却空気１６を膨張することで、膨張空気１８を生成する。膨張手段１７は、圧縮手段１３と共に、モータ２６の駆動軸に接続されている。このようにすることで、冷却空気１６が膨張する際に発生する力を回転力として回収し、その回転力で圧縮手段１３の圧縮を補助することができる。よって、圧縮手段１３および膨張手段１７の運転に必要とされるモータ２６の駆動力を小さくすることができる。
【００２５】
気液分離手段１９は、導入された膨張空気１８から水分を除去することで、乾燥空気２０を生成する。具体的には、気液分離手段１９としては、サイクロン式のセパレータを用いることができる。サイクロン式セパレータでは、セパレータ容器の内部で膨張空気１８を旋回させ、旋回により生じた遠心力で、膨張空気１８に含まれる液層の水分を、セパレータ容器に付着させる。そして、水分が除去された乾燥空気２０を、気液分離手段１９から取り出す。
【００２６】
昇温手段２１は、導入された乾燥空気２０の昇温することで昇温空気２２を生成する。ここで、ハンドドライヤ１０では、冷却手段１５と昇温手段２１とで熱交換を行うことで、昇温を行っている。具体的には、冷却手段１５の内部で冷却される圧縮空気１４と、昇温手段２１の内部で昇温される乾燥空気２０とを熱交換している。換言すると、冷却手段１５と昇温手段２１とが熱交換装置として機能している。このようにすることで、冷却手段１５の内部で効果的に圧縮空気１４を冷却することができ、更に、昇温手段２１の内部で乾燥空気２０を効果的に昇温することができる。更には、外部からの熱エネルギの供給が無い状態で、冷却手段１５に於ける冷却および昇温手段２１に於ける昇温を行うことができる。
【００２７】
ここで、昇温手段２１で生成される昇温空気２２は、環境空気１２よりも含有水分量が少なく、更に、使用者の手２９に吹き付けた場合であっても、使用者が過度の寒さを感じることがない温度帯域とされている。
【００２８】
空気貯留部２３は、昇温手段２１で生成された昇温空気２２を暫定的に貯留する貯留容器である。
【００２９】
噴出部２７は、ハンドドライヤ１０の流れに於ける下流側末端に設けされた開口である。昇温空気２２は、噴出部２７から外部に放出される。
【００３０】
バルブ２４は、空気貯留部２３と噴出部２７との間の空気流路に介装される。バルブ２４が開状態と成ると、昇温空気２２は、噴出部２７から手２９に向かって放出される。一方、バルブ２４が閉状態となると、噴出部２７から昇温空気２２は噴出しない。
【００３１】
センサ２８は、例えば赤外センサから成り、噴出部２７の近傍に手２９が存在するか否かをセンシングする。
【００３２】
演算制御手段２５は、ＣＰＵ、ＲＡＭ、ＲＯＭ等から成り、センサ２８からの入力に基づいて、バルブ２４の開閉動作を指示する。
【００３３】
ここで、上記したハンドドライヤ１０では、空気冷凍サイクル１１で生成した昇温空気２２は、空気貯留部２３に一旦貯留された後に、噴出部２７から手２９に適宜吹き付けている。しかしながら、空気貯留部２３を経由することなく、昇温手段２１から直に手２９に昇温空気２２を吹き付けても良い。このようにすることで、ハンドドライヤ１０の全体構成を簡略化することができる。
【００３４】
図２のフローチャートに基づいて、図１も参照しつつ、上記したハンドドライヤ１０が昇温空気２２を手２９に吹きつける動作を説明する。
【００３５】
先ず、ステップＳ１０では、空気冷凍サイクル１１を運転する。即ち、圧縮手段１３、冷却手段１５、膨張手段１７、気液分離手段１９、昇温手段２１により、環境空気１２は、圧縮空気１４、冷却空気１６、膨張空気１８、乾燥空気２０、昇温空気２２とされる。ここで、圧縮空気１４は高温高圧の空気であり、冷却空気１６は低温高圧の空気であり、膨張手段１７は低温低圧の空気であり、乾燥空気２０は膨張空気１８よりも含水量が少ない空気であり、昇温空気２２は、乾燥空気２０よりも温度が高い空気である。上記したように、昇温空気２２は、空気貯留部２３に貯留される。
【００３６】
ステップＳ１１では、空気貯留部２３に貯留された昇温空気２２の空気量または空気圧が一定以上とされていることを判断することで、空気貯留部２３が充分に充填されているか否かを判断する。ここで、ハンドドライヤ１０で最終的に生成される昇温空気２２は、環境空気１２よりも乾いた空気である。また、昇温空気２２は、手２９に吹き付けられた際に、使用者が過度の冷たさを感じない程度の暖かい温度帯域である。
【００３７】
空気貯留部２３に昇温空気２２が充分に充填されたら、即ちステップＳ１１がＹＥＳであれば、ステップＳ１２で空気冷凍サイクル１１を停止する。一方、空気貯留部２３が充分に充填されていなければ、即ちステップＳ１１がＮＯであれば、ステップＳ１０で空気冷凍サイクル１１の運転を続行する。
【００３８】
更に、ハンドドライヤ１０は、次のように手２９を乾燥させる。即ち、使用者の手２９が噴出部２７に接近すると、センサ２８は手２９が噴出部２７の近傍に接近していることを認識する（ステップＳ１３のＹＥＳ）。係る認識に基づく信号をセンサ２８が演算制御手段２５に伝送すると、演算制御手段２５は、バルブ２４を閉状態から開状態に移行する（ステップＳ１４）。そのようにすると、空気貯留部２３に貯留された昇温空気２２は、噴出部２７から手２９に向かって吹き付けられる。上記したように、昇温空気２２は充分に乾燥しているため、手２９の表面に付着した水分を効果的に除去することができる。更に、手２９を乾燥した際に、昇温空気２２が充分に乾燥していることで、ハンドドライヤ１０の内部に大量の水が溜まってしまうことを抑制することができる。また、昇温空気２２は、適度に昇温されているため、昇温空気２２を手２９に吹き付けても、使用者が過度の寒さを感じることはない。
【００３９】
その後、使用者が手２９を噴出部２７から離したら（ステップＳ１３のＮＯ）、噴出部２７と手２９とが離間したことを示す出力を演算制御手段２５が受信し、演算制御手段２５はバルブ２４を閉状態とする。これにより、噴出部２７から昇温空気２２が噴出されないようになる。ここで、バルブ２４の開閉は、昇温空気２２を吹き出す時間が一定以上であることを示すタイマの出力に基づいても良い。
【００４０】
ここで、空気貯留部２３には、空気貯留部２３に貯留される昇温空気２２の圧力や量をセンシングするセンサが配設されても良い。このセンサの計測結果は演算制御手段２５に伝送される。この場合は、演算制御手段２５は、センサで計測した空気貯留部２３の圧力や量が一定以上であれば、空気冷凍サイクル１１を運転しない。一方、演算制御手段２５は、センサで計測した空気貯留部２３の圧力や量が一定未満であれば、空気冷凍サイクル１１を運転し、昇温空気２２を空気貯留部２３に充填する。このようにすることで、空気冷凍サイクル１１が運転される時間を短くし、ハンドドライヤ１０が消費するエネルギを低減することができる。
【００４１】
図３は空気を冷媒とした場合のＰ−Ｈ線図である。このグラフを参照して、上記したハンドドライヤ１０の各部位に於ける空気の圧力および温度の一例を説明する。図３に付したポイントＡ乃至ポイントＥは、図１に付したポイントＡ乃至ポイントＥに於ける空気の圧力および温度を示している。
【００４２】
先ず、ポイントＡは外部から圧縮手段１３に導入される前の環境空気１２を示しており、ここでの環境空気１２の温度は２５℃であり、気圧は１００ｋＰａである。ポイントＢは圧縮手段１３により断熱圧縮されて冷却手段１５に導入される前の圧縮空気１４を示しており、ここでの圧縮空気１４の温度は９０℃であり、ここでの圧縮空気１４の圧力は２００ｋＰａである。ポイントＣは冷却手段１５を経て等圧冷却されて膨張手段１７に導入される前の冷却空気１６を示しており、ここでの冷却空気１６の温度は５０℃であり、ここでの冷却空気１６の圧力は２００ｋＰａである。ポイントＤは膨張手段１７を経て断熱膨張して気液分離手段１９に導入される前の膨張空気１８を示しており、ここでの膨張空気１８の温度は２５℃であり、ここでの膨張空気１８の気圧は１５０ｋＰａである。ポイントＥは昇温手段２１を経て空気貯留部２３に導入される前の昇温空気２２を示しており、ここでの昇温空気２２の温度は６０℃であり、ここでの昇温空気２２の気圧は１５０ｋＰａである。
【００４３】
ここで、Ｐ−Ｈ線図に於いて、線分Ｂ−Ｃの長さと、線分Ｄ−Ｅの長さとは略同一となる。その理由は、図１を参照して、冷却手段１５に於いて圧縮空気１４から放出される熱エネルギの全てまたは殆どが、昇温手段２１に於いて乾燥空気２０に取り込まれるからである。
【００４４】
上記した本実施形態によれば、先ず、空気冷凍サイクル１１で乾燥させた昇温空気２２を使用者の手２９に吹き付けることから、手２９を効果的に乾燥することができる。即ち、手２９に付着している水滴を昇温空気２２で吹き飛ばし、更に、手２９の表面を覆っている水分を乾燥する。よって、手２９の表面を全体的に乾燥することができる。
【００４５】
更に、昇温空気２２を手２９に吹き付けることで、手２９を即座に乾燥させることができるので、手２９の乾燥に要する時間を短縮化することができる。更に、空気冷凍サイクル１１は、アンモニアなどの冷媒を利用することなく空気を乾燥するので、乾燥空気２０を生成する際の安全性を高めることができる。更に、空気冷凍サイクル１１は、蒸気圧縮型の冷凍サイクルと比較すると装置構成が簡単で小型であることから、空気冷凍サイクル１１を採用することでハンドドライヤ１０を全体的に小型化することができる。
【００４６】
また、昇温手段２１で昇温した昇温空気２２を手２９に吹き付けることで、使用者が手２９で過度な冷たさを感じてしまうことを抑止することができる。
【００４７】
更に、空気冷凍サイクル１１の冷却手段１５と昇温手段２１とを熱交換することで、冷却手段１５に於ける圧縮空気１４の冷却、および、昇温手段２１に於ける乾燥空気２０の昇温を効果的に行うことができる。
【００４８】
更に、空気冷凍サイクル１１で生成した昇温空気２２を空気貯留部２３に貯留することで、空気冷凍サイクル１１を始動することなく、空気貯留部２３に貯留した昇温空気２２を即座に手２９に吹き付けることができ、ハンドドライヤ１０の応答性を向上することができる。
【００４９】
更に、昇温手段２１を経た昇温空気２２を、大気圧よりも高い状態で空気貯留部２３に貯留することで、空気貯留部２３に貯留される昇温空気２２の気圧を大きくすることができ、昇温空気２２を吹き出す際の効率を向上することができる。
【００５０】
以上、本発明の実施形態を示したが、本発明は、上記実施形態に限定されるものではない。
【００５１】
例えば、図１に示したハンドドライヤ１０では、空気貯留部２３の前段に空気貯留部２３を配置したが、空気貯留部２３の後段に昇温手段２１を配置しても良い。
【符号の説明】
【００５２】
１０   ハンドドライヤ
１１   空気冷凍サイクル
１２   環境空気
１３   圧縮手段
１４   圧縮空気
１５   冷却手段
１６   冷却空気
１７   膨張手段
１８   膨張空気
１９   気液分離手段
２０   乾燥空気
２１   昇温手段
２２   昇温空気
２３   空気貯留部
２４   バルブ
２５   演算制御手段
２６   モータ
２７   噴出部
２８   センサ
２９   手
【図１】
2020058610.tif 000003
【図２】
2020058610.tif 000004
【図３】
2020058610.tif 000005
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
空気冷凍サイクルにより水分が除去された空調空気を、使用者の手に吹き付けるハンドドライヤであり、
前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、
前記空気冷凍サイクルの後段に、前記膨張空気から水分を除去することで乾燥空気を生成する気液分離手段が配置され、
前記気液分離手段の後段に、前記乾燥空気を昇温することで昇温空気を生成する昇温手段が配置されることを特徴とするハンドドライヤ。
【請求項２】
前記冷却手段と前記昇温手段とで熱交換を行うことを特徴とする請求項１に記載のハンドドライヤ。
【請求項３】
前記昇温空気を貯留する空気貯留部と、を更に具備し、
前記空気貯留部に貯留された前記昇温空気を、前記使用者の前記手に吹き付けることを特徴とする請求項１または請求項２に記載のハンドドライヤ。
【請求項４】
前記空気貯留部には、大気圧より圧力が高い状態の前記昇温空気が導入されることを特徴とする請求項３に記載のハンドドライヤ。
【手続補正２】
【補正対象書類名】明細書
【補正対象項目名】０００８
【補正方法】変更
【補正の内容】
【０００８】
本発明は、空気冷凍サイクルにより水分が除去された空調空気を、使用者の手に吹き付けるハンドドライヤであり、前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、前記空気冷凍サイクルの後段に、前記膨張空気から水分を除去することで乾燥空気を生成する気液分離手段が配置され、前記気液分離手段の後段に、前記乾燥空気を昇温することで昇温空気を生成する昇温手段が配置されることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１３
【補正方法】変更
【補正の内容】
【００１３】
本発明は、空気冷凍サイクルにより水分が除去された空調空気を、使用者の手に吹き付けるハンドドライヤであり、前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、前記空気冷凍サイクルの後段に、前記膨張空気から水分を除去することで乾燥空気を生成する気液分離手段が配置され、前記気液分離手段の後段に、前記乾燥空気を昇温することで昇温空気を生成する昇温手段が配置されることを特徴とする。これにより、本発明のハンドドライヤは、圧縮手段、冷却手段、膨張手段および気液分離手段により、乾燥された状態の乾燥空気を使用者の手に吹き付け、手を更に効果的に乾燥することができる。
【手続補正５】
【補正対象書類名】明細書
【補正対象項目名】００１４
【補正方法】削除
【補正の内容】
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
空気冷凍サイクルにより水分が除去された空調空気を、使用者の手に吹き付けるハンドドライヤであり、
前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、
前記空気冷凍サイクルの後段に、前記膨張空気から水分を除去することで乾燥空気を生成する気液分離手段が配置され、
前記気液分離手段の後段に、前記冷却手段と熱交換して前記乾燥空気を昇温することで、前記環境空気よりも高温である昇温空気を生成する昇温手段が配置され、
前記昇温空気を貯留する空気貯留部と、演算制御手段と、センサと、を更に具備し、
前記演算制御手段は、
前記空気冷凍サイクルが停止した後に、前記センサが前記使用者の前記手を検出したら、前記空気貯留部に貯留された前記昇温空気を、前記使用者の前記手に吹き付け、
前記空気貯留部の圧力が一定以上であれば前記空気冷凍サイクルを停止し、前記空気貯留部の圧力が一定未満であれば前記空気冷凍サイクルを運転して前記昇温空気を前記空気貯留部に充填することを特徴とするハンドドライヤ。
【手続補正２】
【補正対象書類名】明細書
【補正対象項目名】０００８
【補正方法】変更
【補正の内容】
【０００８】
本発明は、空気冷凍サイクルにより水分が除去された空調空気を、使用者の手に吹き付けるハンドドライヤであり、前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、前記空気冷凍サイクルの後段に、前記膨張空気から水分を除去することで乾燥空気を生成する気液分離手段が配置され、前記気液分離手段の後段に、前記冷却手段と熱交換して前記乾燥空気を昇温することで前記環境空気よりも高温である昇温空気を生成する昇温手段が配置され、前記昇温空気を貯留する空気貯留部と、演算制御手段と、センサと、を更に具備し、前記演算制御手段は、前記空気冷凍サイクルが停止した後に、前記センサが前記使用者の前記手を検出したら、前記空気貯留部に貯留された前記昇温空気を、前記使用者の前記手に吹き付け、前記空気貯留部の圧力が一定以上であれば前記空気冷凍サイクルを停止し、前記空気貯留部の圧力が一定未満であれば前記空気冷凍サイクルを運転して前記昇温空気を前記空気貯留部に充填することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明は、空気冷凍サイクルにより水分が除去された空調空気を、使用者の手に吹き付けるハンドドライヤであり、前記空気冷凍サイクルは、取り込まれた環境空気を圧縮することで圧縮空気を生成する圧縮手段と、前記圧縮空気を冷却することで冷却空気を生成する冷却手段と、前記冷却空気を膨張することで膨張空気を生成する膨張手段と、を有し、前記空気冷凍サイクルの後段に、前記膨張空気から水分を除去することで乾燥空気を生成する気液分離手段が配置され、前記気液分離手段の後段に、前記冷却手段と熱交換して前記乾燥空気を昇温することで前記環境空気よりも高温である昇温空気を生成する昇温手段が配置され、前記昇温空気を貯留する空気貯留部と、演算制御手段と、センサと、を更に具備し、前記演算制御手段は、前記空気冷凍サイクルが停止した後に、前記センサが前記使用者の前記手を検出したら、前記空気貯留部に貯留された前記昇温空気を、前記使用者の前記手に吹き付け、前記空気貯留部の圧力が一定以上であれば前記空気冷凍サイクルを停止し、前記空気貯留部の圧力が一定未満であれば前記空気冷凍サイクルを運転して前記昇温空気を前記空気貯留部に充填することを特徴とする。これにより、本発明のハンドドライヤは、圧縮手段、冷却手段、膨張手段および気液分離手段により、乾燥された状態の乾燥空気を使用者の手に吹き付け、手を更に効果的に乾燥することができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】